(57)【要約】【課題】放送局側におけるチャンネル番号の変更を放送受信機側に反映させることができる放送受信機を実現する。【解決手段】放送受信機１００において、物理チャンネルに対応つけられた放送信号を受信することにより取得したその放送信号に付与された仮想チャンネルと、メモリ５に記憶されている物理チャンネルに関連つけられた仮想チャンネルとを比較するとともに、それら比較した仮想チャンネルにおけるメインチャンネル番号とサブチャンネル番号のいずれか一方が異なる場合、受信した放送信号に基づき取得した仮想チャンネルを新たな仮想チャンネルとして更新するようにメモリ５に記憶させることにより、仮想チャンネルを自動的に更新するようにした。【選択図】図１
2006352774.tif 000002
【特許請求の範囲】
【請求項１】
放送番組に関する放送信号を受信する受信部と、
前記受信部が受信した前記放送信号に応じた放送番組を放映する放送番組出力部と、を備える放送受信機において、
所定の放送番組に関する放送信号を特定するために付与されたメインチャンネル番号と、それぞれ異なる放送内容を有する放送番組の放送信号を多重配信するために付与されたサブチャンネル番号とからなる仮想チャンネルに対して、その放送番組に関する放送信号の周波数帯域に対応するように付与された物理チャンネルを関連つけて記憶するチャンネル記憶手段と、
前記物理チャンネルに対応つけられた放送信号を前記受信部で受信して、その放送信号に付与された仮想チャンネルを取得する仮想チャンネル取得手段と、
前記仮想チャンネル取得手段が取得した仮想チャンネルと、前記チャンネル記憶手段に記憶されている物理チャンネルに関連つけられた仮想チャンネルとを比較する仮想チャンネル比較手段と、
前記仮想チャンネル比較手段により前記仮想チャンネルを比較した結果、前記仮想チャンネル取得手段が取得した仮想チャンネルにおけるサブチャンネル番号が前記チャンネル記憶手段に記憶されている仮想チャンネルにおけるサブチャンネル番号と同一であって、且つ前記仮想チャンネル取得手段が取得した仮想チャンネルにおけるメインチャンネル番号が前記チャンネル記憶手段に記憶されている仮想チャンネルにおけるメインチャンネル番号と異なる場合、前記仮想チャンネル取得手段が取得した仮想チャンネルにおけるメインチャンネル番号を前記チャンネル記憶手段に記憶されている物理チャンネルに関連つけられた仮想チャンネルのメインチャンネル番号と置き換えるように前記チャンネル記憶手段に記憶させる記憶制御手段と、
前記物理チャンネルが対応つけられたチャンネルキーを備え、そのチャンネルキーを選択操作することにより、その物理チャンネルに関連つけられた仮想チャンネルに対応する放送番組を前記放送番組出力部が放映するように切り替えるためのチャンネル選択装置と、
前記チャンネル選択装置に備えられる前記チャンネルキーの配置に対応させて、そのチャンネルキーに対応つけられた仮想チャンネルを示すチャンネル番号を前記放送番組出力部に表示させるチャンネル表示制御手段と、
前記チャンネル表示制御手段により前記放送番組出力部に表示された前記チャンネル番号を所定時間後に消去する表示消去制御手段と、
前記放送番組出力部に前記チャンネル番号が表示されている際に、前記チャンネルキーが選択操作されたことに伴い、そのチャンネル番号の表示を所定時間延長する表示延長制御手段と、
を備えることを特徴とする放送受信機。
【請求項２】
放送番組に関する放送信号を受信する受信部と、
前記受信部が受信した前記放送信号に応じた放送番組を放映する放送番組出力部と、を備える放送受信機において、
所定の放送番組に関する放送信号を特定するために付与されたメインチャンネル番号と、それぞれ異なる放送内容を有する放送番組の放送信号を多重配信するために付与されたサブチャンネル番号とからなる仮想チャンネルに対して、その放送番組に関する放送信号の周波数帯域に対応するように付与された物理チャンネルを関連つけて記憶するチャンネル記憶手段と、
前記物理チャンネルに対応つけられた放送信号を前記受信部で受信して、その放送信号に付与された仮想チャンネルを取得する仮想チャンネル取得手段と、
前記仮想チャンネル取得手段が取得した仮想チャンネルと、前記チャンネル記憶手段に記憶されている物理チャンネルに関連つけられた仮想チャンネルとを比較する仮想チャン
ネル比較手段と、
前記仮想チャンネル比較手段により前記仮想チャンネル同士を比較した結果、それら仮想チャンネルにおけるメインチャンネル番号とサブチャンネル番号のいずれか一方が異なる場合、前記仮想チャンネル取得手段が取得した仮想チャンネルを新たな仮想チャンネルとして更新するように前記チャンネル記憶手段に記憶させる記憶制御手段と、
を備えることを特徴とする放送受信機。
【請求項３】
前記物理チャンネルが対応つけられたチャンネルキーを備え、そのチャンネルキーを選択操作することにより、その物理チャンネルに関連つけられた仮想チャンネルに対応する放送番組を前記放送番組出力部が放映するように切り替えるためのチャンネル選択装置と、
前記チャンネル選択装置に備えられる前記チャンネルキーの配置に対応させて、そのチャンネルキーに対応つけられた仮想チャンネルを示すチャンネル番号を前記放送番組出力部に表示させるチャンネル表示制御手段と、
を備えることを特徴とする請求項２に記載の放送受信機。
【請求項４】
前記チャンネル表示制御手段により前記放送番組出力部に表示された前記チャンネル番号を所定時間後に消去する表示消去制御手段と、
前記放送番組出力部に前記チャンネル番号が表示されている際に、前記チャンネルキーが選択操作されたことに伴い、そのチャンネル番号の表示を所定時間延長する表示延長制御手段と、
を備えることを特徴とする請求項２又は３に記載の放送受信機。
【発明の詳細な説明】
【技術分野】
【０００１】
本発明は、放送受信機に関する。
【背景技術】
【０００２】
従来、テレビなどの放送受信機により受信可能な情報媒体としてアナログ放送、ＢＳデジタル放送、ＣＳデジタル放送、ケーブル放送などがある。近年では地上波デジタル放送も加わり益々受信できるチャンネルの数が多くなり、ユーザにとっては多種、多様な放送から好みに合ったチャンネルを選択し、その番組放送を楽しむことが可能になっている。
【０００３】
そして、デジタル放送におけるチャンネルは、例えば、物理チャンネルに対して、メインチャンネルとサブチャンネルとからなる複数の仮想チャンネルが階層的に設けられており、様々なコンテンツを発信することが可能になっている。この仮想チャンネルの構成は、放送時間帯などによって変動するようになっており、その一例として、ある時間帯（ＰＭ８：００〜ＰＭ１２：００）における物理チャンネル“２”の仮想チャンネルの構成を図１２に示す。
【０００４】
図１２に示すように、物理チャンネル“２”において、ＰＭ８：００〜ＰＭ９：００では、“４−１”〜“４−４”の仮想チャンネルが、ＰＭ９：００〜ＰＭ１０：００では、“４−１”の仮想チャンネルが、ＰＭ１０：００〜ＰＭ１１：００では、“４−１”〜“４−４”の仮想チャンネルが、ＰＭ１１：００〜ＰＭ１２：００では、“４−１”〜“４−３”の仮想チャンネルが放送される。なお、チャンネル“４−１”〜“４−４”で放映されるＳＤ（Standard Definition）番組はデジタル放送の標準画質番組であり、チャン
ネル“４−１”で放映されるＨＤ（High Definition）番組はデジタル放送の高画質番組
である。
【０００５】
そして、多くのチャンネルの中からユーザが頻繁に視聴する好みのチャンネルを放送受信機のリモコンのテンキーに割り当てることにより、そのテンキーを押下する操作に伴いその好みに合ったチャンネルに対応する番組に切り替えることを可能にする技術が知られている（例えば、特許文献１、特許文献２参照。）。
【０００６】
また、放送受信機において、多くのチャンネルの中からユーザが所望するチャンネルをより速やかに選択することを可能にする技術が知られている（例えば、特許文献３参照。）。
【特許文献１】特開２００４−２００８６６号公報
【特許文献２】特開２００３−１４３４３５号公報
【特許文献３】特開２００３−１５３１０２号公報
【発明の開示】
【発明が解決しようとする課題】
【０００７】
しかしながら、上記従来技術の場合、放送局側におけるチャンネル内容更新のために、所定の番組に対応するチャンネル番号が変更されてしまうと、その元のチャンネル番号が消失してしまったことなどにより、放送受信機側ではリモコンの操作によって所定の番組に切り替えることができなくなってしまうことがある問題があった。
【０００８】
具体的には、放送局側におけるチャンネル内容更新に伴い、仮想チャンネル“４−１”が“６−１”と変更されることによって、放送受信機側において物理チャンネル“２”と仮想チャンネルとを対応つけることができなくなり、その物理チャンネル“２”に応じて番組を切り替えることができなくなってしまうことがあった。
【０００９】
本発明の目的は、放送局側におけるチャンネル番号の変更を放送受信機側に反映させることができる放送受信機を提供することである。
【課題を解決するための手段】
【００１０】
以上の課題を解決するため、請求項１記載の発明は、放送番組に関する放送信号を受信する受信部と、前記受信部が受信した前記放送信号に応じた放送番組を放映する放送番組出力部と、を備える放送受信機において、所定の放送番組に関する放送信号を特定するために付与されたメインチャンネル番号と、それぞれ異なる放送内容を有する放送番組の放送信号を多重配信するために付与されたサブチャンネル番号とからなる仮想チャンネルに対して、その放送番組に関する放送信号の周波数帯域に対応するように付与された物理チャンネルを関連つけて記憶するチャンネル記憶手段と、前記物理チャンネルに対応つけられた放送信号を前記受信部で受信して、その放送信号に付与された仮想チャンネルを取得する仮想チャンネル取得手段と、前記仮想チャンネル取得手段が取得した仮想チャンネルと、前記チャンネル記憶手段に記憶されている物理チャンネルに関連つけられた仮想チャンネルとを比較する仮想チャンネル比較手段と、前記仮想チャンネル比較手段により前記仮想チャンネルを比較した結果、前記仮想チャンネル取得手段が取得した仮想チャンネルにおけるサブチャンネル番号が前記チャンネル記憶手段に記憶されている仮想チャンネルにおけるサブチャンネル番号と同一であって、且つ前記仮想チャンネル取得手段が取得した仮想チャンネルにおけるメインチャンネル番号が前記チャンネル記憶手段に記憶されている仮想チャンネルにおけるメインチャンネル番号と異なる場合、前記仮想チャンネル取得手段が取得した仮想チャンネルにおけるメインチャンネル番号を前記チャンネル記憶手段に記憶されている物理チャンネルに関連つけられた仮想チャンネルのメインチャンネル番号と置き換えるように前記チャンネル記憶手段に記憶させる記憶制御手段と、前記物理チャンネルが対応つけられたチャンネルキーを備え、そのチャンネルキーを選択操作することにより、その物理チャンネルに関連つけられた仮想チャンネルに対応する放送番組を前記放送番組出力部が放映するように切り替えるためのチャンネル選択装置と、前記チャンネル選択装置に備えられる前記チャンネルキーの配置に対応させて、そのチャンネルキーに対応つけられた仮想チャンネルを示すチャンネル番号を前記放送番組出力部に表示させるチャンネル表示制御手段と、前記チャンネル表示制御手段により前記放送番組出力部に表示された前記チャンネル番号を所定時間後に消去する表示消去制御手段と、前記放送番組出力部に前記チャンネル番号が表示されている際に、前記チャンネルキーが選択操作されたことに伴い、そのチャンネル番号の表示を所定時間延長する表示延長制御手段と、を備えることを特徴とする。
【００１１】
請求項２記載の発明は、放送番組に関する放送信号を受信する受信部と、前記受信部が受信した前記放送信号に応じた放送番組を放映する放送番組出力部と、を備える放送受信機において、所定の放送番組に関する放送信号を特定するために付与されたメインチャンネル番号と、それぞれ異なる放送内容を有する放送番組の放送信号を多重配信するために付与されたサブチャンネル番号とからなる仮想チャンネルに対して、その放送番組に関する放送信号の周波数帯域に対応するように付与された物理チャンネルを関連つけて記憶するチャンネル記憶手段と、前記物理チャンネルに対応つけられた放送信号を前記受信部で受信して、その放送信号に付与された仮想チャンネルを取得する仮想チャンネル取得手段と、前記仮想チャンネル取得手段が取得した仮想チャンネルと、前記チャンネル記憶手段に記憶されている物理チャンネルに関連つけられた仮想チャンネルとを比較する仮想チャンネル比較手段と、前記仮想チャンネル比較手段により前記仮想チャンネル同士を比較した結果、それら仮想チャンネルにおけるメインチャンネル番号とサブチャンネル番号のいずれか一方が異なる場合、前記仮想チャンネル取得手段が取得した仮想チャンネルを新たな仮想チャンネルとして更新するように前記チャンネル記憶手段に記憶させる記憶制御手段と、を備えることを特徴とする。
【００１２】
請求項３記載の発明は、請求項２に記載の放送受信機において、前記物理チャンネルが対応つけられたチャンネルキーを備え、そのチャンネルキーを選択操作することにより、その物理チャンネルに関連つけられた仮想チャンネルに対応する放送番組を前記放送番組出力部が放映するように切り替えるためのチャンネル選択装置と、前記チャンネル選択装置に備えられる前記チャンネルキーの配置に対応させて、そのチャンネルキーに対応つけられた仮想チャンネルを示すチャンネル番号を前記放送番組出力部に表示させるチャンネル表示制御手段と、を備えることを特徴とする。
【００１３】
請求項４記載の発明は、請求項２又は３に記載の放送受信機において、前記チャンネル表示制御手段により前記放送番組出力部に表示された前記チャンネル番号を所定時間後に消去する表示消去制御手段と、前記放送番組出力部に前記チャンネル番号が表示されている際に、前記チャンネルキーが選択操作されたことに伴い、そのチャンネル番号の表示を所定時間延長する表示延長制御手段と、を備えることを特徴とする。
【発明の効果】
【００１４】
請求項１記載の発明によれば、放送受信機は、物理チャンネルに対応つけられた放送信号を受信することにより仮想チャンネル取得手段が取得したその放送信号に付与された仮想チャンネルと、チャンネル記憶手段に記憶されている物理チャンネルに関連つけられた仮想チャンネルとを比較した結果、仮想チャンネル取得手段が取得した仮想チャンネルにおけるサブチャンネル番号がチャンネル記憶手段に記憶されている仮想チャンネルにおけるサブチャンネル番号と同一であって、且つ仮想チャンネル取得手段が取得した仮想チャンネルにおけるメインチャンネル番号がチャンネル記憶手段に記憶されている仮想チャンネルにおけるメインチャンネル番号と異なる場合、仮想チャンネル取得手段が取得した仮想チャンネルにおけるメインチャンネル番号をチャンネル記憶手段に記憶されている物理チャンネルに関連つけられた仮想チャンネルのメインチャンネル番号と置き換えるようにして、仮想チャンネル取得手段が取得した仮想チャンネルを新たな仮想チャンネルとして更新するようにチャンネル記憶手段に記憶させることができる。
【００１５】
つまり、放送局側におけるチャンネル内容更新などのために、所定の放送番組に対応する仮想チャンネルが変更されても、元の仮想チャンネルの一部であるサブチャンネル番号を有する仮想チャンネルを新たな仮想チャンネルとして更新し、記憶することができるので、放送局側において仮想チャンネルのメインチャンネル番号の変更があった場合でも、放送受信機においてユーザが変更された仮想チャンネルを記憶、登録し直す手動作業が不要となる。
【００１６】
よって、放送受信機は、放送局側におけるチャンネル内容更新などに応じたチャンネル番号の変更を放送受信機側に反映させることができる放送受信機であるといえる。
【００１７】
また、放送受信機は、チャンネル選択装置に備えられるチャンネルキーの配置に対応させて、そのチャンネルキーに対応つけられた仮想チャンネルを示すチャンネル番号を放送番組出力部に表示させることができる。
【００１８】
よって、放送受信機において、放送番組出力部に表示されているチャンネル番号を視認して確認しながら、チャンネルキーに割り当てられて登録されているお気に入りのチャンネル（物理チャンネル、仮想チャンネル）に対応する放送番組をチャンネル選択装置により選択することができるので、所望する放送番組の選局を容易に行うことができる。
【００１９】
また、放送受信機は、放送番組出力部に表示されたチャンネル番号を所定時間後に消去することと、放送番組出力部にチャンネル番号が表示されている際にチャンネルキーが選択操作されたことに伴いそのチャンネル番号の表示を所定時間延長することができる。
【００２０】
つまり、放送受信機は、放送番組出力部に表示されたチャンネル番号を所定時間後に消去することができるが、放送番組出力部にチャンネル番号が表示されている際にチャンネルキーが選択操作された場合、そのチャンネル番号の表示を所定時間延長することができ
るので、その表示されるチャンネル番号を参照するようにしてチャンネルを切り替える操作を連続して行いやすい。
【００２１】
請求項２記載の発明によれば、放送受信機は、物理チャンネルに対応つけられた放送信号を受信することにより仮想チャンネル取得手段が取得したその放送信号に付与された仮想チャンネルと、チャンネル記憶手段に記憶されている物理チャンネルに関連つけられた仮想チャンネルとを比較した結果、それら仮想チャンネルにおけるメインチャンネル番号とサブチャンネル番号のいずれか一方が異なる場合、仮想チャンネル取得手段が取得した仮想チャンネルを新たな仮想チャンネルとして更新するようにチャンネル記憶手段に記憶させることができる。
【００２２】
つまり、放送局側におけるチャンネル内容更新などのために、所定の放送番組に対応する仮想チャンネルが変更されても、元の仮想チャンネルの一部であるメインチャンネル番号またはサブチャンネル番号を有する仮想チャンネルを新たな仮想チャンネルとして更新し、記憶することができるので、放送局側において仮想チャンネルの変更があった場合でも、放送受信機においてユーザが変更された仮想チャンネルを記憶、登録し直す手動作業が不要となる。
【００２３】
よって、放送受信機は、放送局側におけるチャンネル内容更新などに応じたチャンネル番号の変更を放送受信機側に反映させることができる放送受信機であるといえる。
【００２４】
請求項３記載の発明によれば、請求項２に記載の発明と同様の効果が得られることは無論のこと、放送受信機は、チャンネル選択装置に備えられるチャンネルキーの配置に対応させて、そのチャンネルキーに対応つけられた仮想チャンネルを示すチャンネル番号を放送番組出力部に表示させることができる。
【００２５】
よって、放送受信機において、放送番組出力部に表示されているチャンネル番号を視認して確認しながら、チャンネルキーに割り当てられて登録されているお気に入りのチャンネル（物理チャンネル、仮想チャンネル）に対応する放送番組をチャンネル選択装置により選択することができるので、所望する放送番組の選局を容易に行うことができる。
【００２６】
請求項４記載の発明によれば、請求項２又は３に記載の発明と同様の効果が得られることは無論のこと、放送受信機は、放送番組出力部に表示されたチャンネル番号を所定時間後に消去することと、放送番組出力部にチャンネル番号が表示されている際にチャンネルキーが選択操作されたことに伴いそのチャンネル番号の表示を所定時間延長することができる。
【００２７】
つまり、放送受信機は、放送番組出力部に表示されたチャンネル番号を所定時間後に消去することができるが、放送番組出力部にチャンネル番号が表示されている際にチャンネルキーが選択操作された場合、そのチャンネル番号の表示を所定時間延長することができるので、その表示されるチャンネル番号を参照するようにしてチャンネルを切り替える操作を連続して行いやすい。
【発明を実施するための最良の形態】
【００２８】
以下、図面を参照して本発明に係る放送受信機の実施形態について詳細に説明する。なお、本実施の形態においては、放送受信機としてテレビ放送受信機（以下、放送受信機）、放送受信機のチャンネル選択装置としてリモコンを挙げて説明する。
【００２９】
図１は本発明に係る放送受信機１００の要部構成を示すブロック図であり、図２はリモコン３０の平面図である。
【００３０】
図１に示すように、放送受信機１００は、放送信号を受信する受信機本体１と、受信機本体１において受信された放送信号に基づく画像や音声を出力し放送番組を放映する放送番組出力部としての表示装置２０と、受信機本体１が受信した放送信号に応じた放送番組
に対応つけられたチャンネルを選択して番組を切り替えるリモコン３０等を備えている。
【００３１】
受信機本体１は、図１に示すように、所望のチャンネルに対応する周波数帯域に存在する放送信号を、アンテナ１０を介して受信する受信部としてのチューナ２と、チューナ２により受信した放送信号を復号するデコーダ３と、表示装置２０に所定のオンスクリーンディスプレイ（以下、ＯＳＤ）表示をさせるＯＳＤ回路４と、各放送信号に対応する各チャンネルの発信周波数やチャンネル構成情報を記憶するメモリ５と、リモコン３０と通信を行うための通信部６と、放送受信機１００の各部を制御するＣＰＵなどからなる制御部７と、を備えている。なお、この受信機本体１に、リモコン３０と同様の入力操作を可能とする操作ボタン群を備えるようにしてもよい。
【００３２】
アンテナ１０は、テレビジョン放送局から発信される高周波（ＲＦ）の符号化された放送信号を受信する。
【００３３】
チューナ２は、アンテナ１０により受信された放送信号の供給を受けるとともに、ユーザがリモコン３０などから入力したチャンネル選択に関する指示に応じて選局処理を行い、選択されたチャンネルに対応する周波数帯域に存在する放送信号を受信して、その放送信号を中間周波数（ＩＦ）に変調してデコーダ３に出力する。
【００３４】
つまり、チューナ２は受信可能な多チャンネルの放送に関する複数の放送信号のうち、リモコン３０などから入力されたチャンネルに応じた放送信号を選択するようにして放送番組を切り替える選局処理を行う。
【００３５】
デコーダ３は、チューナ２が受信した放送信号を復号（デコード）する。
【００３６】
ＯＳＤ回路４は、制御部７からの指令により、デコーダ３が復号した放送信号を表示装置２０に出力するとともに、受信可能なチャンネル情報などに関する所定の一覧表示（ＯＳＤ表示）を表示装置２０に表示させるためのＯＳＤ表示信号を出力する。
【００３７】
メモリ５は、各チャンネルの周波数帯域に関する情報やチャンネル構成情報、また、表示装置２０に表示するＯＳＤ表示に関する情報を記憶している。
【００３８】
特に、メモリ５は、所定の放送番組に関する放送信号を特定するために付与されたメインチャンネル番号と、所定の放送番組に関連してそれぞれ異なる放送内容を有する放送番組の放送信号を多重配信するために付与されたサブチャンネル番号とからなる仮想チャンネルに対して、その放送番組に関する放送信号の周波数帯域に対応するように付与された物理チャンネルを関連つけて記憶するチャンネル記憶手段として機能する。
【００３９】
例えば、チャンネル記憶手段としてのメモリ５は、物理チャンネルと仮想チャンネル（メインチャンネル番号−サブチャンネル番号）を、「物理チャンネル−メインチャンネル番号−サブチャンネル番号；Ｐ−Ｍ−Ｓ」のように関連つけて記憶している。
【００４０】
また、メモリ５は、後述するリモコン３０に備えられるテンキー３２などのチャンネルキーに割り当てられた物理チャンネル（仮想チャンネル）を記憶する。
【００４１】
通信部６は、リモコン３０と所定の信号の送受信を行うことにより、受信機本体１とリモコン３０の間で各種データの授受を行う。
【００４２】
例えば、通信部６は、リモコン３０から送信される放送番組を切り替えるためのチャンネル選択信号や、表示装置２０にチャンネルに関するＯＳＤ表示を表示させるためのチャンネル表示信号などを受信し、その受信した各種信号を制御部７に送出する。
【００４３】
制御部７は、ユーザによるリモコン３０などを用いた入力操作等を受けて、放送受信機１００の各部の制御をデータバス（Data-Bus）を介して行う。
【００４４】
そして、制御部７は、ユーザによるリモコン３０などのチャンネルキー（テンキー３２）が操作されたことに伴うチャンネルが選択された入力指示により、チューナ２にそのチャンネルに対応する放送信号を受信させ、その放送信号をデコーダ３によって復号処理させるとともにＯＳＤ回路４を介して表示装置２０に出力させ、放送番組を放映する制御を行う。つまり、制御部７は、リモコン３０から送信される放送番組を切り替えるためのチャンネル選択信号の入力に基づき、チャンネル（物理チャンネル（仮想チャンネル））を切り替えるようにして放送番組を切り替える制御を実行する。
【００４５】
また、制御部７は、物理チャンネルに対応つけられた放送信号をアンテナ１０やチューナ２を介して受信し、その放送信号に付与された仮想チャンネルを取得する仮想チャンネル取得手段として機能する。
【００４６】
また、制御部７は、仮想チャンネル取得手段としての制御部７が取得した仮想チャンネルと、メモリ５に記憶されている物理チャンネルに関連つけられた仮想チャンネルとを比較する仮想チャンネル比較手段として機能する。
【００４７】
また、制御部７は、仮想チャンネル比較手段としての制御部７がそれら仮想チャンネル同士を比較した結果、それら仮想チャンネルにおけるメインチャンネル番号とサブチャンネル番号のいずれか一方が異なる場合、仮想チャンネル取得手段としての制御部７が取得した仮想チャンネルを新たな仮想チャンネルとして更新するようにメモリ５に記憶させる記憶制御手段として機能する。
【００４８】
また、制御部７は、仮想チャンネル比較手段としての制御部７がそれら仮想チャンネル同士を比較した結果、仮想チャンネル取得手段としての制御部７が取得した仮想チャンネルにおけるサブチャンネル番号がメモリ５に記憶されている仮想チャンネルにおけるサブチャンネル番号と同一であり、且つ仮想チャンネル取得手段としての制御部７が取得した仮想チャンネルにおけるメインチャンネル番号がメモリ５に記憶されている仮想チャンネルにおけるメインチャンネル番号と異なる場合、仮想チャンネル取得手段としての制御部７が取得した仮想チャンネルにおけるメインチャンネル番号をメモリ５に記憶されている仮想チャンネルのメインチャンネル番号に割り当てて置き換えるようにメモリ５に記憶させる記憶制御手段として機能してもよい。
【００４９】
また、制御部７は、後述するリモコン３０に備えられるテンキー３２の配置に対応させて、そのテンキー３２に対応つけられたお気に入りのチャンネルである物理チャンネルや仮想チャンネルを示すチャンネル番号をＯＳＤ表示として表示装置２０に表示させるチャンネル表示制御手段として機能する。
【００５０】
例えば、制御部７は、ユーザによるリモコン３０のお気に入り番組キー（Ｆａｖ．キー）３３が操作されたことに伴うチャンネル表示信号の入力に基づき、ＯＳＤ表示として表示装置２０に表示させる制御を実行する。
【００５１】
また、制御部７は、チャンネル表示制御手段としての制御部７により表示装置２０に表示されたチャンネル番号に関する表示を所定時間後に消去する表示消去制御手段として機能する。
【００５２】
また、制御部７は、表示装置２０にチャンネル番号に関する表示が表示されている際に、後述するリモコン３０に備えられるテンキー３２が選択操作されたことに伴い、そのチャンネル番号に関する表示を所定時間延長する表示延長制御手段として機能する。
【００５３】
表示装置２０は、図１に示すように、受信機本体１が受信した放送信号に基づく音声データに応じて音声を出力する音声出力部２１と、放送信号に基づく画像データに応じて画像を表示する画像表示部２２と、を有している。
【００５４】
音声出力部２１は、例えば、スピーカ機器であり、受信機本体１が受信した放送信号に基づく音声データに応じた音声を出力する。
【００５５】
画像表示部２２は、例えば、液晶表示機器であり、受信機本体１が受信した放送信号に基づく画像データに応じた画像や映像を表示する。
【００５６】
リモコン３０は、ユーザによる操作指示を受信機本体１に対して入力するための装置であり、受信機本体１及び表示装置２０の動作を、赤外線等を用いて指示できるように構成されている。
【００５７】
リモコン３０は、図２に示すように、例えば、受信機本体１及び表示装置２０の電源をオン／オフするパワーキー３１と、放送受信機１００のチャンネルを選択するためのチャンネルキーであるテンキー３２と、表示装置２０にテンキー３２の配置に対応させて、そのテンキー３２に対応つけられた物理チャンネルや仮想チャンネルを示すチャンネル番号のＯＳＤ表示画面を呼び出すお気に入り番組キー３３と、放送受信機１００に関するメニュー画面を呼び出すメニューキー３４と、放送受信機１００（表示装置２０）の音声ボリュームを調整するボリュームアップ／ダウンキー３５等を備えている。
【００５８】
そして、リモコン３０は、各キーが押下され操作されたことに伴う各種信号を受信機本体１に送信するようになっている。
【００５９】
例えば、リモコン３０は、テンキー３２が操作されたことに伴い、そのテンキー３２に応じたチャンネル選択信号を受信機本体１の通信部６に送信する。
【００６０】
また、リモコン３０は、お気に入り番組キー３３が操作されたことに伴い、表示装置２０にチャンネルに関するＯＳＤ表示を表示させるためのチャンネル表示信号を受信機本体１の通信部６に送信する。
【００６１】
次に、放送受信機１００において受信した放送信号に付与されている仮想チャンネルが変更されている場合に、放送受信機１００が物理チャンネルに対応つける仮想チャンネルを変更する処理について、図３に示すフローチャートに基づき説明する。
【００６２】
まず、放送受信機１００の電源がオン状態となると、放送受信機１００（受信機本体１）は、所定の放送信号を受信し、その放送信号に応じた放送番組を表示装置２０で放映する（ステップＳ１０１）。
【００６３】
例えば、図４に示す表示装置２０の画像表示部２２には、テンキー３２の「９」に割り当てられた仮想チャンネル「６４−３」に対応する放送番組が放映されて表示されている。
【００６４】
次いで、制御部７が、リモコン３０のお気に入り番組キー（Ｆａｖ．キー）３３が押下されたと判断すると（ステップＳ１０２；Ｙｅｓ）、制御部７は、図５に示すように、表示装置２０の画像表示部２２にチャンネル番号に関するＯＳＤ表示２２ａを表示させる（ステップＳ１０３）。
【００６５】
なお、図５に示すように、ＯＳＤ表示２２ａは、リモコン３０に備えられるテンキー３２の配置に対応させて、そのテンキー３２に対応つけられた物理チャンネルや仮想チャンネルのチャンネル番号（例えば、テンキー「１」にはチャンネル番号「３」、テンキー「２」にはチャンネル番号「２４−３１」・・・など）を表示している。また、デジタル放送チャンネルに対しては、チャンネル番号とともに、チャンネル情報として放送局名（例えば、ＫＯＥＤ，ＷＡＢＣ，ＦＯＸ等）を表示している。
【００６６】
次いで、放送受信機１００において、リモコン３０のテンキー３２に割り当てられている物理チャンネルに対応つけられた放送信号を受信するとともに、制御部７は、その放送信号に付与されている仮想チャンネルを取得する（ステップＳ１０４）。
【００６７】
なお、ここではテンキー３２の「６」に割り当てられた物理チャンネルに関連つけられている仮想チャンネルを取得した場合を例に説明する。
【００６８】
なお、図５に示すＯＳＤ表示２２ａのテンキー３２の「６」に相当する部分の表示領域
に表示されるように、例えば、テンキー３２の「６」に割り当てられた物理チャンネル「６０」に仮想チャンネル「３６−１」が対応つけられており、メモリ５にはチャンネル番号が「６；６０−３６−１、テンキー番号；（Ｐ−Ｍ−Ｓ）」のように記憶されている。
【００６９】
次いで、制御部７は、ステップＳ１０４において取得した仮想チャンネルと、メモリ５に記憶されている仮想チャンネルとを比較し、それらが同一の仮想チャンネルであるか否か判断する（ステップＳ１０５）。
【００７０】
制御部７が、それら仮想チャンネルは同一であり、メインチャンネル番号とサブチャンネル番号がともに同じであると判断すると（ステップＳ１０５；Ｙｅｓ）、仮想チャンネルを変更する更新は不要であるので、そのまま処理を終了する。
【００７１】
一方、制御部７が、それら仮想チャンネルは同一でないと判断すると（ステップＳ１０５；Ｎｏ）、制御部７は、それら仮想チャンネルにおけるメインチャンネル番号とサブチャンネル番号がともに異なるのか否かを判断する（ステップＳ１０６）。
【００７２】
制御部７が、それら仮想チャンネルにおけるメインチャンネル番号とサブチャンネル番号がともに異なると判断すると（ステップＳ１０６；Ｙｅｓ）、制御部７は、テンキー３２の「６」に割り当てられた物理チャンネル「６０」に、仮想チャンネルを登録せず（ステップＳ１０７）、チャンネル更新処理を終了する。つまり、テンキー３２の「６」に割り当てられた物理チャンネル「６０」には仮想チャンネルが対応つけられず、リモコン３０のテンキー３２の「６」を操作しても、放送番組が放映されない状態となっている。
【００７３】
なお、テンキー３２の「６」に割り当てられた物理チャンネル「６０」にユーザがマニュアル操作によって所望する仮想チャンネルを対応つけることにより、リモコン３０のテンキー３２の「６」が放送番組の放映に関して有効となるようにすることができる。
【００７４】
一方、制御部７が、それら仮想チャンネルにおけるメインチャンネル番号とサブチャンネル番号のいずれか一方が異なると判断すると（ステップＳ１０６；Ｎｏ）、制御部７は、ステップＳ１０４において取得した仮想チャンネルが複数あるのか否かを判断する（ステップＳ１０８）。
【００７５】
制御部７が、取得した仮想チャンネルが複数あると判断すると（ステップＳ１０８；Ｙｅｓ）、制御部７は、取得した仮想チャンネルのうち、最小の数値を有する仮想チャンネルを新たな仮想チャンネルとして更新するように、その仮想チャンネルをテンキー３２の「６」や、物理チャンネル「６０」に対応つけるようにメモリ５に記憶して（ステップＳ１０９）、チャンネル更新処理を終了する。
【００７６】
具体的には、取得した仮想チャンネルが「４７−１」と「５１−１」であった場合、仮想チャンネル「４７−１」を新たな仮想チャンネルとして更新し、また、取得した仮想チャンネルが「４７−１」と「４７−２」であった場合、仮想チャンネル「４７−１」を新たな仮想チャンネルとして更新するようになっている。
【００７７】
そして、図６に示すＯＳＤ表示２２ａのテンキー３２の「６」に相当する部分の表示領域に、チャンネル番号「３６−１」に代わり、更新された新たな仮想チャンネルのチャンネル番号「４７−１」が表示されるようになっている。
【００７８】
なお、制御部７が、仮想チャンネル取得手段としての制御部７が取得した仮想チャンネルにおけるサブチャンネル番号がメモリ５に記憶されている仮想チャンネルにおけるサブチャンネル番号と同一であり、仮想チャンネル取得手段としての制御部７が取得した仮想チャンネルにおけるメインチャンネル番号がメモリ５に記憶されている仮想チャンネルにおけるメインチャンネル番号と異なると判断した場合に、その取得した仮想チャンネルを新たな仮想チャンネルとして更新するようにしてもよい。この場合、取得した仮想チャンネルが「４７−１」と「３６−２」であると、チャンネル番号「３６−１」に代わり、更新された新たな仮想チャンネルのチャンネル番号「４７−１」が表示されるようになる。
【００７９】
一方、制御部７が、取得した仮想チャンネルは複数でなく、１つであると判断すると（ステップＳ１０８；Ｎｏ）、制御部７は、その取得した仮想チャンネル「４７−１」を新たな仮想チャンネルとして更新するように、その仮想チャンネルをテンキー３２の「６」や、物理チャンネル「６０」に対応つけるようにメモリ５に記憶して（ステップＳ１１０）、チャンネル更新処理を終了する。
【００８０】
そして、図６に示すＯＳＤ表示２２ａのテンキー３２の「６」に相当する部分の表示領域に、チャンネル番号「３６−１」に代わり、更新された新たな仮想チャンネルのチャンネル番号「４７−１」が表示されるようになっている。
【００８１】
なお、ステップＳ１０４における、リモコン３０のテンキー３２に割り当てられている物理チャンネルに対応つけられた放送信号に付与されている仮想チャンネルの取得は、例えば、テンキー３２が「０」から「９」の１０個ある場合、１０回繰り返すようにして、各テンキー毎に仮想チャンネルを取得する。
【００８２】
このように、本発明にかかる放送受信機１００は、リモコン３０のテンキー３２に割り当てられている物理チャンネルに対応つけられた放送信号を受信するとともに、その放送信号に付与されている仮想チャンネルのメインチャンネル番号とサブチャンネル番号のいずれか一方が変更されている場合に、その変更された仮想チャンネルを新たな仮想チャンネルとして記憶、更新することができる。
【００８３】
つまり、放送局側におけるチャンネル内容更新などのために、所定の放送番組に対応する仮想チャンネル番号が変更されても、元の仮想チャンネル番号の一部を有する仮想チャンネルを新たな仮想チャンネルとして更新することができるので、放送局側において仮想チャンネルの変更があった場合でも、放送受信機１００は、リモコン３０のテンキー３２を操作することによって、チャンネルを選択して放送番組を切り替えることができる。
【００８４】
従って、放送局側において所定の放送番組に対応する仮想チャンネル番号が変更された場合に、ユーザが手動でテンキー３２にお気に入りのチャンネル（放送番組）を登録し直すことなく、自動でお気に入りのチャンネル（放送番組）が登録されるので、その操作や取り扱いが容易になる。
【００８５】
よって、放送受信機１００は、放送局側におけるチャンネル内容更新などに応じたチャンネル番号の変更を放送受信機側に反映させることができる放送受信機であるといえる。
【００８６】
次に、放送受信機１００における、チャンネルや放送番組を切り替える処理について、図７に示すフローチャートに基づき説明する。
【００８７】
まず、放送受信機１００の電源がオン状態となると、放送受信機１００（受信機本体１）は、所定の放送信号を受信し、その放送信号に応じた放送番組を表示装置２０で放映する（ステップＳ２０１）。例えば、図４に示す表示装置２０の画像表示部２２には、テンキー３２の「９」に割り当てられた仮想チャンネル「６４−３」に対応する放送番組が放映されて表示されている。
【００８８】
次いで、制御部７が、リモコン３０のお気に入り番組キー（Ｆａｖ．キー）３３が押下されたと判断すると（ステップＳ２０２；Ｙｅｓ）、制御部７は、図５に示すように、表示装置２０の画像表示部２２にチャンネル番号に関するＯＳＤ表示２２ａを表示させるとともに、そのＯＳＤ表示に関する表示消去タイマーをｔ＝０とセットする（ステップＳ２０３）。
【００８９】
そして、制御部７は、ＯＳＤ表示に関する表示消去タイマーｔを計時（カウントアップ）する（ステップＳ２０４）。
【００９０】
次いで、制御部７は、リモコン３０のテンキー３２が押下されて、チャンネルの切り替
え指示の入力が行われたか否かを判断する（ステップＳ２０５）。
【００９１】
制御部７が、テンキー３２が押下されて、チャンネルの切り替え指示が入力されたと判断すると（ステップＳ２０５；Ｙｅｓ）、制御部７は、そのテンキー３２に対応つけられている物理チャンネル（仮想チャンネル）の放送番組を表示装置２０において放映するように切り替え（ステップＳ２０６）、ステップＳ２０３に戻る。
【００９２】
例えば、リモコン３０のテンキー３２の「１」が押下されると、テンキー３２の「１」に対応つけられたチャンネル番号「３」の放送信号をスキャンし（図８参照）、そのチャンネル番号「３」の放送信号に基づく放送番組の放映に切り替えられる（図９参照）。
【００９３】
なお、チャンネルや放送番組を切り替えた後、表示装置２０の画像表示部２２にはチャンネル番号に関するＯＳＤ表示２２ａが表示し続けられるので、切り替えた放送番組が所望するものでなかった場合などに、そのＯＳＤ表示２２ａを参照するようにしてチャンネル切り替え操作を継続しやすくなっている。例えば、図９に示す放送番組の放映中にリモコン３０のテンキー３２の「７」が押下されると、テンキー３２の「７」に対応つけられたチャンネル番号「１２−３」の放送信号をスキャンし（図１０参照）、そのチャンネル番号「１２−３」の放送信号に基づく放送番組の放映に切り替えられる（図１１参照）。
【００９４】
一方、制御部７が、テンキー３２が押下されておらず、チャンネルの切り替え指示が入力されていないと判断すると（ステップＳ２０５；Ｎｏ）、制御部７は、ＯＳＤ表示に関する表示消去タイマーｔが、所定時間Ｔ（例えば、１０秒）に達したか否かを判断する（ステップＳ２０７）。
【００９５】
制御部７が、ＯＳＤ表示に関する表示消去タイマーｔが所定時間Ｔに達したと判断すると（ステップＳ２０７；Ｙｅｓ）、ステップＳ２０９へ進む。
【００９６】
一方、制御部７が、ＯＳＤ表示に関する表示消去タイマーｔが所定時間Ｔに達していないと判断すると（ステップＳ２０７；Ｎｏ）、制御部７は、リモコン３０のお気に入り番組キー（Ｆａｖ．キー）３３が押下されたか否かを判断する（ステップＳ２０８）。
【００９７】
制御部７が、リモコン３０のお気に入り番組キー（Ｆａｖ．キー）３３は押下されていないと判断すると（ステップＳ２０８；Ｎｏ）、ステップＳ２０４に戻る。
【００９８】
一方、制御部７が、リモコン３０のお気に入り番組キー（Ｆａｖ．キー）３３は押下されたと判断すると（ステップＳ２０８；Ｙｅｓ）、制御部７は、表示装置２０の画像表示部２２に表示されているチャンネル番号に関するＯＳＤ表示２２ａを消去し（ステップＳ２０９）、ステップＳ２０１に戻る。
【００９９】
このように、本発明にかかる放送受信機１００は、表示装置２０の画像表示部２２に表示されているチャンネル番号に関するＯＳＤ表示２２ａを確認しながら、テンキー３２に割り当てられて登録されているお気に入りのチャンネル（放送番組）を選択することができるので、所望する放送番組の選局を容易に行うことができる。
【０１００】
また、チャンネル（放送番組）を切り替えた後の所定時間、表示装置２０の画像表示部２２にはチャンネル番号に関するＯＳＤ表示２２ａが表示し続けられるので、そのＯＳＤ表示２２ａを参照するようにしてチャンネルを切り替える操作を継続しやすい。
【０１０１】
なお、以上の実施の形態においては、仮想チャンネルにおけるメインチャンネル番号とサブチャンネル番号のいずれか一方が異なる仮想チャンネルを複数取得した場合、取得した仮想チャンネルのうち、最小の数値を有する仮想チャンネルを新たな仮想チャンネルとして更新するとしたが、本発明はこれに限定されるものではなく、例えば、最大の数値を有する仮想チャンネルを新たな仮想チャンネルとして更新するようにしてもよく、また、変更がなかった同一の番号であるメインチャンネル番号又はサブチャンネル番号を有する仮想チャンネルを仮想チャンネルとして更新するようにしてもよい。
【０１０２】
また、その他、具体的な細部構造等についても適宜に変更可能であることは勿論である
。
【図面の簡単な説明】
【０１０３】
【図１】本発明に係る放送受信機ンの要部構成を示すブロック図である。
【図２】本発明に係るリモコンの平面図である。
【図３】放送受信機が物理チャンネルに対応つけられる仮想チャンネルを変更する処理を示すフローチャートである。
【図４】表示装置の画像表示部における表示画面の一例を示す説明図である。
【図５】表示装置の画像表示部における表示画面の一例を示す説明図である。
【図６】表示装置の画像表示部における表示画面の一例を示す説明図である。
【図７】放送受信機がチャンネルや放送番組を切り替える処理を示すフローチャートである。
【図８】表示装置の画像表示部における表示画面の一例を示す説明図である。
【図９】表示装置の画像表示部における表示画面の一例を示す説明図である。
【図１０】表示装置の画像表示部における表示画面の一例を示す説明図である。
【図１１】表示装置の画像表示部における表示画面の一例を示す説明図である。
【図１２】放送受信機により受信されるデジタル放送のチャンネル構成を示す説明図である。
【符号の説明】
【０１０４】
１      受信機本体
２      チューナ（受信部）
３      デコーダ
４      ＯＳＤ回路
５      メモリ（チャンネル記憶手段）
６      通信部
７      制御部（仮想チャンネル取得手段、仮想チャンネル比較手段、記憶制御手段、チャンネル表示制御手段、表示消去制御手段、表示延長制御手段）
１０    アンテナ
２０    表示装置（放送番組出力部）
２１    音声出力部
２２    画像表示部
２２ａ  ＯＳＤ表示
３０    リモコン（チャンネル選択装置）
３１    パワーキー
３２    テンキー
３３    お気に入り番組キー
３４    メニューキー
３５    ボリュームキー
１００  放送受信機
【図１】
2006352774.tif 000003
【図２】
2006352774.tif 000004
【図３】
2006352774.tif 000005
【図４】
2006352774.tif 000006
【図５】
2006352774.tif 000007
【図６】
2006352774.tif 000008
【図７】
2006352774.tif 000009
【図８】
2006352774.tif 000010
【図９】
2006352774.tif 000011
【図１０】
2006352774.tif 000012
【図１１】
2006352774.tif 000013
【図１２】
2006352774.tif 000014